(57)【要約】  【課題】  ボタン又はスイッチ等を多数備えて機能の選択を行わせる電気機器において、ボタン又はスイッチ等の操作方法及び機能等を説明する機能を、操作に不慣れな使用者であっても簡単に利用することができる電気機器を提供する。  【解決手段】  説明情報記憶部２８にボタン又はスイッチ等の説明情報を記憶しておき、説明ボタン１７を操作して機器を説明情報出力状態に設定し、説明情報出力状態時に説明ボタン１７以外のボタン又はスイッチ等が操作された場合に説明情報を出力する構成とする。また、説明ボタン１７は押下に応じて説明情報出力状態への設定と解除とを交互に行う構成とし、説明情報出力状態時には状態表示ＬＥＤ１８を点灯させる。【選択図】      図２
2006172227.tif 000002
【特許請求の範囲】
【請求項１】
複数の操作部を備える電気機器において、
前記操作部それぞれの説明情報を記憶する記憶部と、
前記説明情報を出力する出力手段と、
前記説明情報の出力要求を受け付ける説明情報出力状態に設定する設定手段と、
該設定手段により前記説明情報出力状態に設定されている場合に前記操作部が操作されたとき、前記操作部に関する前記説明情報を前記記憶部から読み出して前記出力手段により出力する制御を行う制御手段と
を備えることを特徴とする電気機器。
【請求項２】
前記説明情報出力状態への設定要求を受け付ける設定操作部を備え、
前記設定手段は、前記設定操作部の操作に応じて前記説明情報出力状態の設定又は解除を交互に行うようにしてある請求項１に記載の電気機器。
【請求項３】
前記設定手段により前記説明情報出力状態に設定されているか否かを表示する状態表示手段を備える請求項１又は請求項２に記載の電気機器。
【請求項４】
前記操作部が操作された場合に操作信号を作成する作成手段と、
前記設定手段により前記説明情報出力状態に設定されているか否かを示す状態信号を前記操作信号に付加して前記制御手段に送信する状態信号付加手段とを備え、
前記制御手段は、前記状態信号が付加された前記操作信号を受信した場合に前記制御を行うようにしてある請求項１乃至請求項３のいずれか１つに記載の電気機器。
【発明の詳細な説明】
【技術分野】
【０００１】
本発明は、ボタン又はスイッチ等の操作部に関して、操作方法又は操作を行った場合の機器の動作等を、画像、動画又は音声等を用いて使用者に説明する機能を有する電気機器に関する。
【背景技術】
【０００２】
近年の電気機器、例えば静止画若しくは動画を撮像する撮像装置、電話若しくはファクシミリ等の通信装置、ビデオテープ若しくはＤＶＤディスク等にＴＶ番組を録画するビデオレコーダ、居住空間の冷房及び暖房等を行う空気調和装置、炊飯器、掃除機又は冷蔵庫等においては、次々と新製品が開発され、新しい機能が付加されている。電気機器に備えてある機能が増加した場合、多くの機能を選択するために、複雑な選択メニュー又は多数の機能ボタン等が必要となり、使用者はどの機能をどのように選択して機器を操作すればよいかわかりにくく、また操作を一度覚えても継続して使用していなければ操作を忘れてしまうという問題がある。
【０００３】
コンピュータにおいては、操作に関するキーワードを入力して検索し、操作に関する情報を画面上に表示することができるヘルプ機能が備えられている。また、ＧＵＩ（Ｇｒａｐｈｉｃａｌ  Ｕｓｅｒ  Ｉｎｔｅｒｆａｃｅ）を備えたコンピュータの場合には、画面上に表示されているアイコン又はボタン等にマウスのカーソルを重ねた場合に、ポップアップ表示でアイコン又はボタン等の機能説明を表示する機能が備えられている。
【０００４】
また、多数の項目に対してデータ入力を行う業務用機器において、１つの項目にカーソルを合わせて特定のキーを押下した場合、カーソルを合わせた項目に関する説明を、画面を切り替えて又は専用のサブ画面を形成して、表示することができる機能が提案されている（特許文献１参照）。
【特許文献１】特開平４−２４３４２０号公報
【発明の開示】
【発明が解決しようとする課題】
【０００５】
しかしながら、コンピュータのヘルプ機能は、使用者が操作に関するキーワードを入力する必要があるため、キーボード又は携帯通信機器に用いられている十数個のキーで文字入力を行う手段等のように、アルファベット、ひらがな及びカタカナが入力でき、場合によっては漢字変換を行うことができる高度な入力手段が必要であり、高度な入力手段を備えていない電気機器には適用できないという問題がある。また、操作に不慣れな使用者にはヘルプ機能を利用すること自体が難しいという問題がある。
【０００６】
ＧＵＩを備えたコンピュータのポップアップ表示で説明を表示する機能及び特許文献１に開示された説明機能は、説明を必要とするアイコン若しくはボタンにマウスカーソルを合わせる、又は説明を必要とする項目にカーソルを合わせて特定のキーを押下することで説明を表示することができるため、高度な入力手段は必要なく、操作に不慣れな使用者でも説明の表示を簡単に行えるという利点がある。しかし、これらの説明機能は、ディスプレイに表示されたアイコン、ボタン又は項目についての説明を表示するものであるため、ディスプレイにメニューを表示して使用者に機能の選択を行わせる電気機器については応用して適用することができるが、専用の機能ボタンを機器に多数備えて機能の選択を行わせる電気機器又はディスプレイを備えていない電気機器等には適用できないという問題がある。
【０００７】
本発明は、斯かる事情に鑑みてなされたものであって、その目的とするところは、ボタン又はスイッチ等の操作部に関する説明情報の出力要求を受け付ける説明情報出力状態へ機器を設定手段により設定し、説明情報出力状態時に操作部が操作された場合に説明情報を出力する構成とすることで、ディスプレイにメニュー又はアイコン等を表示せずに機能専用のボタン又はスイッチ等を多数備えて機能の選択を行う場合でも、説明機能を実現することができ、また、説明情報出力状態への設定を簡単な操作で行えるものとした場合には、操作に不慣れな使用者でも簡単に説明機能を利用することができる電気機器を提供することにある。
【０００８】
また本発明の他の目的とするところは、説明情報出力状態への設定と解除とを設定操作部の操作に応じて交互に行う、所謂、トグル動作で行う簡単な構成とすることで、操作に不慣れな使用者であっても簡単に説明機能を利用することができる電気機器を提供することにある。
【０００９】
また本発明の他の目的とするところは、設定手段により説明情報出力状態に設定されているか否かを表示する状態表示手段を備えることで、使用者に機器の状態を示すことができ、誤操作を防止することができる電気機器を提供することにある。
【００１０】
また本発明の他の目的とするところは、操作部が操作された場合に、操作された操作部に応じた操作信号に状態を示す状態信号を付加して制御手段に送信し、制御手段が状態信号から状態を判断して説明情報を出力する構成とすることで、制御手段を有する機器本体と操作部とを隔離して配し、遠隔操作を行う場合に、簡単に説明機能を実現できる電気機器を提供することにある。
【課題を解決するための手段】
【００１１】
本発明に係る電気機器は、複数の操作部を備える電気機器において、前記操作部それぞれの説明情報を記憶する記憶部と、前記説明情報を出力する出力手段と、前記説明情報の出力要求を受け付ける説明情報出力状態に設定する設定手段と、該設定手段により前記説明情報出力状態に設定されている場合に前記操作部が操作されたとき、前記操作部に関する前記説明情報を前記記憶部から読み出して前記出力手段により出力する制御を行う制御手段とを備えることを特徴とする。
【００１２】
本発明においては、操作部の説明情報の出力要求を受け付ける説明情報出力状態へ機器を設定手段により設定し、説明情報出力状態時に操作部が操作された場合に説明情報を出力する構成として、機能専用のボタン又はスイッチ等を多数備えて機能の選択を行わせる機器において説明機能を実現させ、操作に不慣れな使用者が簡単に説明機能を利用することができるようにする。
【００１３】
また、本発明に係る電気機器は、前記説明情報出力状態への設定要求を受け付ける設定操作部を備え、前記設定手段は、前記設定操作部の操作に応じて前記説明情報出力状態の設定又は解除を交互に行うようにしてあることを特徴とする。
【００１４】
この発明においては、説明情報出力状態への設定を設定操作部で行う。設定操作部は操作に応じて説明情報出力状態への設定と解除とを交互に行う簡単な構成として、操作に不慣れな使用者が簡単に利用できるようにする。
【００１５】
また、本発明に係る電気機器は、前記設定手段により前記説明情報出力状態に設定されているか否かを表示する状態表示手段を備えることを特徴とする。
【００１６】
この発明においては、機器の状態が設定手段により説明情報出力状態に設定されているか否かを表示する状態表示手段を備えて、使用者に機器の状態を示し、使用者の誤操作を防止する。
【００１７】
また、本発明に係る電気機器は、前記操作部が操作された場合に操作信号を作成する作成手段と、前記設定手段により前記説明情報出力状態に設定されているか否かを示す状態信号を前記操作信号に付加して前記制御手段に送信する状態信号付加手段とを備え、前記制御手段は、前記状態信号が付加された前記操作信号を受信した場合に前記制御を行うようにしてあることを特徴とする。
【００１８】
この発明においては、操作部が操作された場合、操作された操作部に応じた操作信号に、設定手段により説明情報出力状態に設定されているか否かを示す状態信号を付加して制御手段に送信し、制御手段が状態信号から状態を判断して説明情報を出力する構成として、操作部及び設定手段と、制御手段を有する装置本体とを隔離して配することができるようにする。
【発明の効果】
【００１９】
本発明による場合は、操作部に関する説明情報の出力要求を受け付ける説明情報出力状態へ機器を設定手段により設定し、説明情報出力状態時に操作部が操作された場合に説明情報を出力する構成としたため、ディスプレイにメニュー又はアイコン等を表示せずに機能専用のボタン又はスイッチ等を多数備えて機能の選択を行う場合でも、説明機能を実現することができ、また、説明情報出力状態への設定を簡単な操作で行えるものとした場合には、操作に不慣れな使用者でも簡単に説明機能を利用することができる。
【００２０】
また本発明による場合は、説明情報出力状態への設定を設定操作部で行い、設定操作部は操作に応じて説明情報出力状態への設定と解除とを交互に行う簡単な構成としたため、操作に不慣れな使用者であっても簡単に説明機能を利用することができる。
【００２１】
また本発明による場合は、機器の状態が設定手段により説明情報出力状態に設定されているか否かを表示する状態表示手段を備えたため、使用者は機器の状態を知ることができ、誤操作を防止することができる。
【００２２】
また本発明による場合は、操作部が操作された場合に、操作部に応じた操作信号に状態を示す状態信号を付加して制御手段に送信し、制御手段が状態信号から状態を判断して説明情報を出力する構成としたため、制御手段を有する機器本体と操作部とを隔離して配設することができ、遠隔操作を行う場合に簡単に説明機能を実現できる。
【発明を実施するための最良の形態】
【００２３】
以下、本発明をその実施の形態を示す図面に基づき具体的に説明する。
（実施の形態１）
図１は、本発明の実施の形態１に係る動画撮像装置の背面斜視図である。本図において１は、動画撮像部であり、動画撮像部１は略直方体の筐体２の前部に備えてある。また、動画撮像部１は、レンズ１ａ及び撮像素子１ｂを備えており、レンズ１ａは被写体からの光を集光し、レンズ１ａで集光され結像した像をアスペクト比が４／３の撮像素子１ｂがアナログの撮像信号に変換する。筐体２の側面にはアスペクト比４／３の表示部３が枢支されており、筐体２の側面、背面及び上面には使用者が撮像装置の各機能を操作するためのスイッチ及びボタン等の複数の操作部が備えてある。また、筐体２の側面には、撮像装置が後述する説明情報出力状態である場合に点灯する状態表示ＬＥＤ１８が備えてある。
【００２４】
電源スイッチ４、スタンバイボタン５、録画ボタン６、再生ボタン７、停止ボタン８及びワイドモード切替スイッチ９は、筐体２の背面部に配設してある。電源スイッチ４は動画撮像装置の電源をオン／オフするためのスイッチである。スタンバイボタン５を押下した場合は、動画撮像装置はバッテリーの電力消費を抑える電力節約状態に切り替わり、電力節約状態でスタンバイボタン５を押下した場合は、約１．５秒で撮像待機状態に復帰する。また、電力節約状態では他のボタンをロックし、誤動作を防止する。
【００２５】
録画ボタン６を押下した場合は撮像した動画の記録が開始され、再生ボタン７を押下した場合は記録した動画が表示部３にて再生される。動画の記録及び再生は共に、停止ボタン８が押下されるまで続けられる。ワイドモード切替スイッチ９は、撮像する動画のアスペクト比を変更するためのスイッチであり、アスペクト比が４／３の通常撮像と、アスペクト比が１６／９のワイド撮像とを切り替えることができる。
【００２６】
ズームスイッチ１０は、筐体２の上面部に配設してある。ズームスイッチ１０は、撮像する被写体の像を拡大／縮小するためのスイッチであり、ズームスイッチ１０を背面視の右側に操作することで像の拡大を行うことができ、左側に操作することで像の縮小を行うことができる。
【００２７】
カーソルキー１１、設定ボタン１２、メニューボタン１３、撮像モード切替スイッチ１４、フラッシュ発光ボタン１５、バックライト点灯ボタン１６及び説明ボタン１７は、筐体２の側面部に配設してある。カーソルキー１１は、設定ボタン１２又はメニューボタン１３を押下することで表示部３に表示されるメニューから項目を選択する場合に用いる。設定ボタン１２を押下した場合、動画の撮像条件を設定するためのメニューが表示部３に表示され、明るさ、フォーカス、シャッタースピード及びホワイトバランス等をマニュアルで設定することができる。また、メニューボタン１３を押下することにより表示部３に表示されるメニューにより、動画の撮像後にナレーションを追加するアフレコ機能及び動画の撮像をセピア又はモノクロ等で行う演出機能等の機能を選択することができる。
【００２８】
撮像モード切替スイッチ１４は、動画の撮像を行う動画撮像状態と静止画の撮像を行う静止画撮像状態とを切り替えるスイッチであり、静止画撮像状態では、録画ボタン６を押下したときの画像を静止画として動画記録装置本体に装着されたメモリカード（図示せず）に記録することができる。また、静止画撮像状態においてフラッシュ発光ボタン１５を押下した場合、筐体２の前面部に配設してあるストロボフラッシュ（図示せず）が準備され、静止画の撮像を行う場合にストロボフラッシュが発光するようになる。また、バックライト点灯ボタン１６は、表示部３に備えられたバックライト（図示せず）を点灯するためのボタンであり、バックライトを点灯させることで使用者は夜間又は暗所等での撮像を行うことができる。
【００２９】
説明ボタン１７は、使用者が各ボタン及びスイッチの機能及び操作方法等が分からない場合に、そのボタン及びスイッチの機能及び操作方法等に関する情報を表示部３に表示させるために用いられるボタンである。説明ボタン１７を押下すると動画撮像装置は説明情報出力状態に切り替わり、説明情報出力状態時に他のボタン又はスイッチを操作することで、使用者は操作したボタン又はスイッチの情報を見ることができる。説明情報出力状態は説明ボタン１７が再度押下されるまで維持され、説明情報出力状態時には他のボタン又はスイッチが操作される都度、操作されたボタン又はスイッチの情報が表示部３に表示されるため、使用者は複数のボタン又はスイッチの機能及び操作方法を調べることができる。また、誤操作防止のため、説明情報出力状態時には各ボタン及びスイッチを操作しても前述の通常の動作は行わないようにしてある。
【００３０】
筐体２の側面部に配設してある状態表示ＬＥＤ１８は、使用者が説明ボタン１７を押下して動画撮像装置が説明情報出力状態になった場合に点灯し、再度説明ボタン１７を押下して説明情報出力状態が解除されて通常状態となった場合に消灯する。
【００３１】
図２は、本発明の実施の形態１に係る動画撮像装置の構成を示すブロック図である。本図において２１は、動画撮像装置の制御部であり、制御部２１は以下に述べる各構成要素を制御している。動画撮像部１の撮像素子１ｂが変換したアナログの撮像信号は、撮像信号処理部２２へ与えられており、撮像信号処理部２２にてディジタルの動画データに変換され、変換された動画データは画像処理部２３へ与えられている。
【００３２】
画像処理部２３は、画像処理用のワークメモリ２４を備えており、ワークメモリ２４を用いて撮像信号処理部２２で変換された動画データの明度及び彩度等の補正、並びに動画データの拡大又は縮小等の処理を行い、処理を行った動画データをビデオコーデック部２５へ与えている。また、処理を行った動画データをモニタ出力用の信号に変換して表示部３へ与えている。
【００３３】
ビデオコーデック部２５は、画像処理部２３で処理された動画データを、ＭＰＥＧ２又はＭｏｔｉｏｎＪＰＥＧ等の圧縮伸張方式により圧縮する機能を有しており、ビデオコーデック部２５で圧縮された動画データは、記録再生部２６へ与えられる。記録再生部２６は、ビデオコーデック部２５で圧縮された動画データを、磁気テープ、半導体メモリ又はＤＶＤディスク等の記録媒体２７に記録し、また、記録媒体２７に記録された動画データを再生する機能を有している。
【００３４】
制御部２１には、電源スイッチ４、録画ボタン６及び説明ボタン１７等の複数の操作部が接続されており、使用者の操作に応じて各処理を行っている。使用者が説明ボタン１７を押下した場合、制御部２１は説明情報出力状態に遷移し、状態表示ＬＥＤ１８を点灯させる。制御部２１に接続されている説明情報記憶部２８は、マスクＲＯＭ又はフラッシュメモリ等の不揮発性のメモリ素子で構成され、各ボタン及びスイッチの機能及び操作方法等の説明情報が記憶されている。説明情報出力状態時に説明ボタン１７以外のスイッチ又はボタンが操作された場合には、制御部２１が説明情報記憶部２８から説明情報を読み出し、画像処理部２３を介して表示部３に説明情報を表示させる。説明情報出力状態時に表示部３に表示される説明情報は、動画撮像装置の動作状況に合わせて複数の情報が記憶してあり、使用者が説明ボタン１７を押下したときの動作状況に最も適するものを制御部２１が読み出す。例えば、録画ボタン６は、撮像モード切替スイッチ１４によって静止画を撮像するか動画を撮像するかが切り替わるので、静止画撮像状態であるか否かによって表示部３に表示される情報を別の情報にしてある。また、制御部２１は、説明情報出力状態時に説明ボタン１７が押下された場合、通常状態へ遷移する。
【００３５】
図３は、本発明の実施の形態１に係る動画撮像装置の説明情報の表示を行う場合の制御部２１の処理を示すフローチャートである。制御部２１は、スイッチ又はボタンが操作されたか否かを調べ（ステップＳ１）、操作されていない場合は（Ｓ１：ＮＯ）、スイッチ又はボタンが操作されるまで待機する。スイッチ又はボタンが操作された場合（Ｓ１：ＹＥＳ）、操作されたスイッチ又はボタンが説明ボタン１７であるか否かを調べ（ステップＳ２）、操作されたボタンが説明ボタン１７である場合（Ｓ２：ＹＥＳ）、更に制御部２１の動作状態が説明情報出力状態であるか否かを調べる（ステップＳ３）。制御部２１の動作状態が説明情報出力状態である場合（Ｓ３：ＹＥＳ）、動作状態を通常状態へ遷移させ（ステップＳ４）、状態表示ＬＥＤ１８を消灯する（ステップＳ５）。制御部２１の動作状態が説明情報出力状態でない場合は（Ｓ３：ＮＯ）、動作状態を説明情報出力状態に遷移させ（ステップＳ６）、状態表示ＬＥＤ１８を点灯する（ステップＳ７）。
【００３６】
ステップＳ２にて、操作されたスイッチ又はボタンが説明ボタン１７でない場合（Ｓ２：ＮＯ）、制御部２１の動作状態が説明情報出力状態であるか否かを調べる（ステップＳ８）。制御部２１の動作状態が説明情報出力状態である場合（Ｓ８：ＹＥＳ）、操作されたスイッチ又はボタンの種類を判定し（ステップＳ９）、操作されたスイッチ又はボタン、及び動画撮像装置の動作状況に応じて説明情報記憶部２８から説明情報を読み出し（ステップＳ１０）、読み出した説明情報を画像処理部２３へ与えて表示部３に表示させる（ステップＳ１１）。ステップＳ８にて、制御部２１の動作状態が説明情報出力状態でない場合（Ｓ８：ＮＯ）、制御部２１は操作されたスイッチ又はボタンに応じた機能を実現するための処理を行う（ステップＳ１２）。
【００３７】
以上のように構成された動画撮像装置において、スイッチ又はボタンの機能及び操作方法を知りたい場合、使用者はまず、説明ボタン１７を押下して動画撮像装置を説明情報出力状態にする。動画撮像装置が説明情報出力状態であるか否かは、状態表示ＬＥＤ１８が点灯しているか否かで判断することができる。説明ボタン１７を押下して動画撮像装置を説明情報出力状態にした後、使用者は機能及び操作方法を知りたいスイッチ又はボタンを操作することで、操作したスイッチ又はボタンに関する情報を、表示部３に画像又は文字等によって表示させることができる。
【００３８】
説明情報出力状態を解除して撮像を行う場合には、使用者は説明ボタン１７を押下して説明情報出力状態から通常状態へ遷移させる。説明情報出力状態と通常状態との切り替えが説明ボタン１７の押下のみで行うことができるため、操作に不慣れな使用者であっても簡単にスイッチ又はボタンの機能及び操作方法を知ることができる。
【００３９】
なお、本実施の形態においては、スイッチ及びボタンの機能及び操作方法の説明を表示部３に画像又は文字等にて表示する構成としたが、これに限らず、音声による説明をスピーカから出力する構成としてもよく、画像及び音声の両方を用いる構成であってもよい。また、動画を撮像する撮像装置についての構成を示したが、これに限らず、例えば静止画のみを撮像する撮像装置に同様の構成を適用することができる。また、本実施の形態に示した各ボタンの機能及び配置等は一例であり、これに限るものではない。また、説明情報出力状態の設定を説明ボタン１７により行う構成としたが、これに限らず、例えば設定用のスイッチを備えて説明情報出力状態及び通常状態を切り替える構成としてもよい。また、説明情報出力状態であるか否かを状態表示ＬＥＤ１８により使用者に知らせる構成としたが、これに限らず、例えば表示部３に説明情報出力状態である旨を表示して使用者に知らせる構成としてもよい。
【００４０】
（実施の形態２）
図４は、本発明の実施の形態２に係るビデオデッキ及びビデオデッキを操作するリモートコントローラ（以下リモコンと略称する）の模式図である。本図において５０はビデオデッキ１００を遠隔制御するリモコンであり、リモコン５０は光発信部５１、複数個の操作用ボタン及び状態表示ＬＥＤ７２を備えている。光発信部５１は使用者の操作に応じて制御情報を赤外線の信号に変換してビデオデッキ１００に備えてある光受信部１０１へ発信する。ビデオデッキ１００は、着脱可能な記録媒体であるビデオテープに公衆のテレビ放送を受信して記録し、ビデオテープに記録された映像を再生してビデオデッキ１００に接続されたブラウン管方式のテレビ又は液晶テレビ等の図示しない表示装置に表示する機能を有している。
【００４１】
リモコン５０は、ビデオデッキ１００を遠隔制御するだけでなく、ビデオデッキ１００に接続された表示装置に赤外線受信機能が備えてある場合には、表示装置の機能の一部又は全部を制御することができる。リモコン５０のテレビ電源ボタン５２、入力切替ボタン５３、音声切替ボタン５４、チャンネルボタン部５５、音量ボタン５６及びテレビ選局ボタン５７は、ビデオデッキ１００に接続された表示装置を制御するためのボタンである。テレビ電源ボタン５２はテレビの電源のオン／オフを制御することができ、入力切替ボタン５３は表示装置が表示する映像を、表示装置が受信したテレビ放送又は外部の装置から入力された映像のどちらかを選択することができる。また、音量ボタン５６は表示装置が出力する音声の量を制御することができ、音声切替ボタン５４は出力する音声をステレオ又はモノラルのどちらかに切り替えることができる。また、チャンネルボタン部５５の１２個のボタン及びテレビ選局ボタン５７は表示装置が受信するテレビ放送のチャンネルを切り替えることができる。
【００４２】
リモコン５０のビデオ電源ボタン５８はビデオデッキ１００の電源をオン／オフするためのボタンである。また、予約ボタン５９はビデオデッキ１００を指定時間に起動してテレビ放送を録画する録画待機状態にするためのボタンであり、録画を行う時間の設定は予約設定ボタン６０を押下することでビデオデッキ１００に接続された表示装置の画面に表示される予約メニューにて設定することができる。また、ビデオ選局ボタン６１はビデオデッキ１００が受信するテレビ放送のチャンネルを切り替えることができる。取り出しボタン６２を押下することで、ビデオデッキ１００内に装着してあるビデオテープを取り出すことができ、スローボタン６３を押下することで映像の再生速度を低速にすることができ、録画モード切替ボタン６４によりビデオテープに記録する方法を標準録画又は画質を低下させて長時間記録する３倍録画から選択することができる。
【００４３】
また、再生ボタン６５を押下することでビデオテープに記録してある映像の再生を開始することができ、巻戻しボタン６６を押下することでビデオテープを戻すことができ、早送りボタン６７を押下することでビデオテープを進めることができる。録画ボタン６９を押下することでビデオテープへの映像の記録が開始され、停止ボタン６８を押下することで映像の再生及び記録等の処理を停止することができる。一時停止ボタン７０は、再生又は記録の処理を行っている場合に押下することで、再生又は記録の処理を一時的に停止することができ、再生又は記録の一時停止時に一時停止ボタン７０を押下することで、再生又は記録の処理が再開する。
【００４４】
説明ボタン７１は、使用者が各ボタンの機能及び操作方法等が分からない場合に、そのボタンの機能及び操作方法等に関する情報をビデオデッキ１００に接続してある表示装置に表示するために用いられるボタンである。説明ボタン７１を押下した場合、リモコン５０は説明情報出力状態に遷移し、説明情報出力状態時に他のボタンを押下することで、使用者は押下したボタンの情報を表示装置に表示することができる。説明情報出力状態は説明ボタン７１が再度押下されるまで維持され、説明情報出力状態時には他のボタンが押下される都度、押下されたボタンの情報を表示装置に表示するため、使用者は複数のボタンの機能及び操作方法等を調べることができる。また、誤動作防止のため、説明情報出力状態時には各ボタンを操作しても、再生又は記録等の通常の処理は行わないようにしてある。
【００４５】
状態表示ＬＥＤ７２は、説明ボタン７１が押下されてリモコン５０が説明情報出力状態に遷移したときに点灯し、説明情報出力状態時に説明ボタン７１が押下されてリモコン５０が説明情報出力状態から通常状態に遷移したときに消灯する。
【００４６】
図５は、本発明の実施の形態２に係るリモコン５０の構成を示すブロック図である。本図において８０はリモコン５０の制御を行う制御部であり、制御部８０には光発信部５１、複数個の操作用ボタン及び状態表示ＬＥＤ７２が接続してある。
【００４７】
制御部８０は、押下されたボタンの説明情報を表示装置に表示させる説明情報出力状態と、ビデオデッキ１００に再生及び録画等の通常の動作を行わせる通常状態とを、説明ボタン７１の押下によって交互に切り替えており、説明情報出力状態時には状態表示ＬＥＤ７２を点灯させ、通常状態時には状態表示ＬＥＤ７２を消灯させる。
【００４８】
また、制御部８０は、使用者が押下したボタンを判定し、判定したボタンの種類を表すボタン情報に、リモコン５０が説明情報出力状態であるか否かを表す説明フラグを付加したものを制御情報として光発信部５１へ与え、光発信部５１は与えられた制御情報を赤外線によりビデオデッキ１００へ発信している。説明フラグは１ビットの情報であり、リモコン５０が説明情報出力状態である場合に’１’の値が設定され、通常状態の場合には’０’の値が設定される。
【００４９】
図６は、本発明の実施の形態２に係るビデオデッキ１００の構成を示すブロック図である。本図において１１１はビデオデッキ１００を制御する制御部であり、制御部１１１には光受信部１０１、画像処理部１１４、記録再生部１１６、操作部１１７及び説明情報記憶部１１８が接続されており、これらを制御している。
【００５０】
画像処理部１１４は、公衆のテレビ放送の電波を受信する受信部１１３から、受信したテレビ放送の電波に応じた映像信号が与えられており、与えられた信号を増幅及びフィルタリング等の処理をして出力部１１２及び記録再生部１１６へ与えている。出力部１１２は、外部の表示装置を接続するための端子を備えており、接続された表示装置に映像を表示する。記録再生部１１６は、着脱可能な記録媒体１１５が装着されており、画像処理部１１４から与えられた映像信号を記録媒体１１５に記録し、また、記録媒体１１５に記録してある映像信号を読み出して画像処理部１１４へ与えている。画像処理部１１４は、記録再生部１１６から映像信号が与えられた場合は、与えられた映像信号を増幅及びフィルタリング等の処理をして出力部１１２へ与えて、出力部１１２に接続された表示装置に表示している。
【００５１】
ビデオデッキ１００の操作部１１７にも再生ボタン及び録画ボタン等のボタンが備えられており、リモコン５０を用いずにビデオデッキ１００の操作が行えるようにしてある。制御部１１１は、映像の録画及び再生等の処理を操作部１１７の操作又は光受信部１０１にて受信したリモコン５０からの制御情報に応じて行っている。説明情報記憶部１１８は、リモコン５０に備えてある複数個のボタンに関連付けて、ボタンの機能及び操作方法等の説明情報が記憶されている。光受信部１０１にて制御情報を受信した場合は、まず制御情報に含まれている説明フラグを調べ、説明フラグの値が’０’である場合には、録画及び再生等の通常の処理を行い、説明フラグの値が’１’の場合は、通常の処理は行わずに説明情報記憶部１１８から制御情報に含まれているボタン情報に関連付けられた説明情報を読み出す。読み出された説明情報は、画像処理部１１４へ与えられ、出力部１１２を介して出力部１１２に接続された表示装置に表示する。
【００５２】
図７は、本発明の実施の形態２に係るリモコンの制御部８０の処理を示すフローチャートである。制御部８０はボタンが押下されたか否かを調べ（ステップＳ４１）、ボタンが押下されていない場合は（Ｓ４１：ＮＯ）、ボタンが押下されるまで待機する。ボタンが押下された場合は（Ｓ４１：ＹＥＳ）、押下されたボタンが説明ボタン７１であるか否かを調べ（ステップＳ４２）、押下されたボタンが説明ボタン７１であった場合（Ｓ４２：ＹＥＳ）、更にリモコン５０が説明情報出力状態であるか否かを調べる（ステップＳ４３）。リモコン５０が説明情報出力状態である場合は（Ｓ４３：ＹＥＳ）、リモコン５０を通常状態に遷移させ（ステップＳ４４）、状態表示ＬＥＤ７２を消灯する（ステップＳ４５）。リモコン５０が説明情報出力状態でない場合は（Ｓ４３：ＮＯ）、リモコン５０を説明情報出力状態に遷移させ（ステップＳ４６）、状態表示ＬＥＤ７２を点灯する（ステップＳ４７）。
【００５３】
押下されたボタンが説明ボタン７１でなかった場合は（Ｓ４２：ＮＯ）、リモコン５０が説明情報出力状態であるか否かを調べ（ステップＳ４８）、リモコン５０が説明情報出力状態である場合（Ｓ４８：ＹＥＳ）、説明フラグを’１’に設定し、ボタン情報に付加して制御情報を作成する（ステップＳ４９）。リモコン５０が説明情報出力状態でなかった場合は（Ｓ４８：ＮＯ）、説明フラグを’０’に設定し、ボタン情報に付加して制御情報を作成する（ステップＳ５０）。ステップＳ４９及びステップＳ５０にて説明フラグを設定し、制御情報を作成した後、制御情報を光発信部５１へ与えて、光発信部５１から制御情報を赤外線にて発信する（ステップＳ５１）。
【００５４】
図８は、本発明の実施の形態２に係るビデオデッキ１００の制御部１１１がリモコン５０から制御情報を受信した場合に行う処理を示すフローチャートである。制御部１１１は、光受信部１０１がリモコン５０からの制御情報を受信したか否かを調べ（ステップＳ６１）、制御情報を受信していない場合は（Ｓ６１：ＮＯ）、制御情報を受信するまで待機する。光受信部１０１が制御情報を受信した場合は（Ｓ６１：ＹＥＳ）、受信した制御情報に含まれている説明フラグの値が’１’であるか否かを調べる（ステップＳ６２）。説明フラグの値が’１’であった場合（Ｓ６２：ＹＥＳ）、受信した制御情報のボタン情報から押下されたボタンを判定し（ステップＳ６３）、押下されたボタンに関連付けられた説明情報を制御情報記憶部１１８から読み出し（ステップＳ６４）、読み出した説明情報を画像処理部１１４へ与え、出力部１１２に接続された表示装置に表示する（ステップＳ６５）。受信した制御情報の説明フラグの値が’０’であった場合は（Ｓ６２：ＮＯ）、制御情報のボタン情報に応じて、各ボタンの機能を実現する処理を行う（ステップＳ６６）。
【００５５】
以上のように構成されたリモコン５０及びビデオデッキ１００において、使用者はリモコン５０の各ボタンを押下して、ビデオデッキ１００の動作を制御することができる。各ボタンの機能及び操作方法等を知りたい場合、使用者はまず、説明ボタン７１を押下してリモコン５０を説明情報出力状態にする。説明ボタン７１が押下されると制御部８０は、リモコン５０を説明情報出力状態に遷移させ、状態表示ＬＥＤ７２を点灯させる。リモコン５０が説明情報出力状態であるか否かは、状態表示ＬＥＤ７２が点灯しているか否かで判断することができる。
【００５６】
説明ボタン７１を押下してリモコン５０を説明情報出力状態にした後、使用者は機能及び操作方法等を知りたいボタンを押下することで、押下したボタンに関する情報をビデオデッキ１００の出力部１１２に接続された表示装置に表示することができる。説明情報出力状態時に説明ボタン７１以外のボタンが押下された場合、制御部８０は押下されたボタンの情報に、リモコン５０が説明情報出力状態であるか否かを示す説明フラグの値を’１’に設定して付加して制御情報を作成し、制御情報を光発信部５１から発信する。制御情報を光受信部１０１にて受信したビデオデッキ１００では、制御部１１１が制御情報に含まれる説明フラグを判定して値が’１’である場合、説明情報記憶部１１８から制御情報に含まれるボタン情報に関する説明情報を読み出して、出力部１１２に接続された表示装置に表示する。説明情報出力状態と通常状態との切替をリモコン５０に備えてある説明ボタン７１の押下のみで行うことができるため、操作に不慣れな使用者であっても簡単に各ボタンの機能及び操作方法等を知ることができる。
【００５７】
なお、本実施の形態に係るリモコン５０においては、各ボタンの説明情報をビデオデッキ１００の出力部１１２に接続された表示装置に表示する構成としたが、これに限らず、ビデオデッキ１００にＬＣＤモニタ又は液晶モニタ等の表示部を備えて説明情報を表示する構成であってもよく、音声を出力する手段を備えて説明情報を音声により出力する構成であってもよい。また、ビデオデッキ１００を遠隔制御するリモコン５０についての構成を示したが、これに限らず、テレビ、ＤＶＤレコーダ又はＣＤプレーヤ等の他の機器のリモコンについても同様の構成を適用することができる。また、リモコンを用いて遠隔操作する場合ではなく、操作部を機器本体に備える場合であっても、説明フラグを利用する制御で説明機能を実現してもよい。また、説明ボタン７１をリモコン５０のみに備える構成としたが、ビデオデッキ１００の操作部１１７にも備える構成であってもよい。また、本実施の形態に示したリモコン５０のボタンの機能及び配置等は一例であり、これに限るものではない。また、説明情報出力状態の設定を説明ボタン７１により行う構成としたが、これに限らず、例えば設定用のスイッチを備えて説明情報出力状態及び通常状態を切り替える構成としてもよい。また、説明情報出力状態であるか否かを状態表示ＬＥＤ７２により使用者に知らせる構成としたが、これに限らず、例えばビデオデッキ１００の出力部１１２に接続された表示装置に説明情報出力状態である旨を表示して使用者に知らせる構成としてもよい。
【００５８】
また、本発明の実施の形態においては、動画撮像装置及びビデオデッキのリモコンを例に説明を行ったが、これに限るものではなく、その他にも複数個のボタン又はスイッチ等を用いて使用者が操作を行う電気機器、例えば電話機若しくはファクシミリ等の通信機器、ビデオテープ若しくはＤＶＤディスク等にＴＶ番組を録画するビデオレコーダ、居住空間の冷房及び暖房を行う空気調和装置、炊飯器、掃除機又は冷蔵庫等においても本発明を適用できる。
【図面の簡単な説明】
【００５９】
【図１】本発明の実施の形態１に係る動画撮像装置の背面斜視図である。
【図２】本発明の実施の形態１に係る動画撮像装置の構成を示すブロック図である。
【図３】本発明の実施の形態１に係る動画撮像装置の説明情報の表示を行う場合の制御部の処理を示すフローチャートである。
【図４】本発明の実施の形態２に係るビデオデッキ及びビデオデッキを操作するリモコンの模式図である。
【図５】本発明の実施の形態２に係るリモコンの構成を示すブロック図である。
【図６】本発明の実施の形態２に係るビデオデッキの構成を示すブロック図である。
【図７】本発明の実施の形態２に係るリモコンの制御部の処理を示すフローチャートである。
【図８】本発明の実施の形態２に係るビデオデッキの制御部がリモコンから制御情報を受信した場合に行う処理を示すフローチャートである。
【符号の説明】
【００６０】
１  動画撮像部
３  表示部
１７、７１  説明ボタン
１８、７２  状態表示ＬＥＤ
２１、８０、１１１  制御部
２８、１１８  説明情報記憶部
５０  リモコン
５１  光発信部
１００  ビデオデッキ
１０１  光受信部
１１２  出力部
【図１】
2006172227.tif 000003
【図２】
2006172227.tif 000004
【図３】
2006172227.tif 000005
【図４】
2006172227.tif 000006
【図５】
2006172227.tif 000007
【図６】
2006172227.tif 000008
【図７】
2006172227.tif 000009
【図８】
2006172227.tif 000010